(57)【要約】      （修正有）【課題】容器内の食品等へのイタズラ等を防止しつつ、容器のコスト上昇等を招来せず、取り扱いに便利な構成を提供する。【解決手段】カバー1は、容器を収容可能なカバー本体10にファスナ4を開閉可能に設けている。カバー本体10上にてファスナ4以外の箇所に、閉じ状態のファスナ4のタブ41に連繋して、タブ41がファスナ開き方向に移動することを規制するロック機構5が配備されている。ロック機構5は、ロック解除キーを持っている者だけがロックを解除できる。【選択図】図１
2005350098.tif 000002
【特許請求の範囲】
【請求項１】
容器を収容すべきカバー本体の開口部にファスナを開閉可能に設け、
閉じ状態にあるファスナのタブに連繋して、タブがファスナ開き方向に移動することを規制するロック機構がカバー本体上に、配備されたことを特徴とするカバー。
【請求項２】
カバー本体は、上面開口した収納部に、蓋体を開閉可能に連結して構成され、
ロック機構は、カバー本体の蓋体上に基端部が取り付けられた可撓性部材を具え、該可撓性部材の自由端部と、収納部の一方には、ソケットが、他方にはプラグが夫々取り付けられた、請求項１に記載のカバー。
【請求項３】
カバー本体は、上面開口した収納部に、蓋体を開閉可能に連結して構成され、
ロック機構は、カバー本体の収納部上に基端部が取り付けられた可撓性部材を具え、該可撓性部材の自由端部と、蓋体の一方には、ソケットが、他方にはプラグが夫々取り付けられた、請求項１に記載のカバー。
【請求項４】
可撓性部材はベルト部材であって、該ベルト部材は、ファスナのタブ又はタブに設けられたリングを通り、該ベルト部材がリングを通った状態で、ベルト部材の自由端部と収納部に夫々取り付けられたプラグとソケットとが互いに係合される、請求項２又は３に記載のカバー。
【請求項５】
ファスナのタブは、互いに接近離間する向きに２つ設けられ、ベルト部材は、重なった２つのタブ又は各タブに設けられて互いに重なるリングを通ってソケット又はプラグの何れか一方に係合する、請求項４に記載のカバー。
【請求項６】
請求項１乃至５の何れかに記載のカバーと、カバー本体に収納された容器とを組みあわせた梱包ユニット。
【発明の詳細な説明】
【技術分野】
【０００１】
本発明は、物品を収納した容器を、第３者のイタズラ、盗難から保護するロック機構付きカバー及び該カバーを用いた梱包ユニットに関するものである。より具体的には、食品等を収納した容器を配達依頼人の元に留め置きする際に、該容器を被覆して食品等へのイタズラ、盗難を防止するロック機構付きカバーに関するものである。
【背景技術】
【０００２】
従来から、図１３に示す容器(７)に食品等を入れ、保温又は保冷して配達することが行われている。これは、上面が開口(72)し発泡樹脂から形成された収納箱(70)と、該開口(72)を覆う容器蓋(71)を具えている。かかる容器(７)は、軽量であること、所定の強度を有すること、断熱性が高い利点があり、種々の分野で用いられている。
かかる容器(７)は運搬に便利であるが、容器蓋(71)が簡単に取り外されるため、容器(７)を配達先にて放置しておくと、容器(７)内の食品がイタズラされたり、該食品が盗まれる虞れがある。
かかる虞れに鑑みて、図１４に示す容器(７)が提案されている(特許文献１参照)。これは、収納箱(70)に容器蓋(71)の一端部を枢着(73)し、容器蓋(71)の自由端部に爪片(74)を設け、収納箱(70)には該爪片(74)と係合する爪引掛部(75)が設けられている。容器蓋(71)が閉じた状態で、爪片(74)と爪引掛部(75)が係合し、爪片(74)と爪引掛部(75)とによって容器蓋(71)のロック機構を形成する。容器蓋(71)のロックは、容器(７)の管理者が持っているロック解除部材(図示せず)により解除される。
また、図１５に示すように、収納箱(70)に容器蓋(71)の一端部を枢着(73)し、容器蓋(71)の自由端部と収納箱(70)を、南京錠(76)にてロックする構成も提案されている(特許文献２参照)。図１５の容器(７)は、一側面が固定壁等にビスにて取り付けられ、使用しないときは折り畳み可能である。これらの構成によって、容器(７)内の食品等がイタズラされたり、該食品が盗まれる虞れは解消される。
【０００３】
【特許文献１】特開２００４−１００９２号公報
【特許文献２】実用新案登録第３０１３６１３号
【発明の開示】
【発明が解決しようとする課題】
【０００４】
図１４に示す構成では、収納箱(70)に爪引掛部(75)を設ける必要があるから、収納箱(70)の重量増加や、それに伴うコスト上昇の問題がある。また、爪片(74)と爪引掛部(75)は繰り返し係脱されるから、収納箱(70)にはかかる係脱時に加わる荷重に耐えうる強度が要求され、この点でも重量増加やコスト上昇に繋がる。
図１５に示す構成では、容器蓋(71)と収納箱(70)を、別部材である錠(76)にてロックするから、錠(76)を紛失する虞れがあり、取り扱いの点で難点がある。また、本来固定壁等に取り付けられるものであるから、大型の物品を収納して一時的に留め置くには適さない。
本発明の目的は、容器(７)内の食品等へのイタズラ、盗難等を防止しつつ、容器(７)のコスト上昇等を招来せず、取り扱いに便利な構成を提供することにある。
【課題を解決するための手段】
【０００５】
容器(７)を収容すべきカバー本体(10)の開口部には、ファスナ(４)が開閉可能に設けられている。閉じ状態にあるファスナ(４)のタブ(41)に連繋して、タブ(41)がファスナ開き方向に移動することを規制するロック機構(５)がカバー本体(10)上に、配備されている。
【発明の効果】
【０００６】
１．容器(７)を収納するカバー(１)にロック機構(５)を設けているから、カバー(１)内の容器(７)に収容された食品等に対するイタズラ、盗難等は防止される。
２．容器(７)自体にロック機構を配備するのではなく、容器(７)を収納するカバー(１)にロック機構(５)を設けている。従って、従来のように、容器(７)の重量増加、コスト上昇の問題は生じない。カバー(１)は一般に複数の容器(７)(７)を収納するものであるから、カバー(１)にロック機構(５)を設けても、容器(７)自体にロック機構を設ける場合に比して、コスト上昇を抑えることができる。
３．また、ロック機構(５)はカバー本体(10)上に設けられ、閉じ状態のファスナ(４)のタブ(41)に連繋して、タブ(41)がファスナ開き方向に移動することを規制する。従って、ロック機構(５)がカバー本体(10)から離れることはないから、ロック機構(５)を紛失することはなく、取り扱いに便利である。
【発明を実施するための最良の形態】
【０００７】
(全体構成)
以下、本発明の一実施例を図を用いて説明する。
図１は、本例に係わるロック機構付きカバー(１)の斜視図であり、図２は、その平面図である。該カバー(１)内には、図１３に示す容器(７)が複数、例えば３、４個収納される。また、カバー(１)は後記の如く、折り畳み可能であり、複数の容器(７)(７)を一時的に収納するのに適している。カバー(１)は、カバー本体(10)の両側に、該カバー本体(10)を運ぶ際に把持する取手(11)(11)を取り付けて構成される。
カバー本体(10)は、有底四角箱状に形成され、容器(７)を収納する空間(12)を形成した収納部(３)と、該収納部(３)に被さり一辺を収納部(３)に枢着(20)した蓋体(２)とによって構成される。空間(12)は上面が開口している。枢着部(20)はカバー本体(10)の一側面(10a)の上縁に沿って設けられ、カバー本体(10)の他の３つの側面(10b)(10b)(10b)には、ファスナ(４)が横向きに跨って配備される。蓋体(２)と収納部(３)は、ファスナ(４)によって締結又は締結解除される。蓋体(２)の周面上にて、ファスナ(４)の上側には、ポリプロピレン製の厚さ４ｍｍの補強帯(21)が貼られている。カバー本体(10)の取手(11)(11)の接続部周辺をポリエチレン等の補強材(13)で被覆することは、取手(11)(11)の接続部の破損が防止されるので好ましい。
【０００８】
収納部(３)の側面(10a)(10b)は、図３に示すように、芯材(31)、具体的には８ｍｍ厚の発泡ポリエチレンシートをナイロンシート(30)(30)にて内外から挟んだ断熱材から形成される。蓋体(２)も、８ｍｍ厚の発泡ポリエチレンシートを芯材としている。収納部(３)の底板(32)は、８ｍｍ厚の発泡ポリエチレンシートを芯材(31)として、内側にナイロンシート(30)を、外側にポリエチレンシート(33)を貼り付けて形成されている。
カバー(１)内には食品等を収納した容器(７)が収納されるから、カバー(１)にも保冷又は保温効果があることが好ましい。従って、収納部(３)を発泡ポリエチレンシートを挟んだナイロンシート(31)(31)にて形成することにより、保冷又は保温効果を高めている。
また、収納部(３)はかかる発泡ポリエチレンシートにて補強されたシートにて形成されているから、自立性があり、形が崩れることなく、そのままの姿勢を保つ。また、上から手で力を加えれば容易に折り畳むことができる。
【０００９】
ファスナ(４)は２つのスライダ(40)(40)を互いに接近離間可能に具え、各スライダ(40)には引手であるタブ(41)が取り付けられている。スライダ(40)(40)を互いに接近する方向(矢印Ｂ方向)に移動させ、正面側壁(10b)の中央にて、両スライダ(40)(40)が最も接近すれば、ファスナ(４)は閉じて、蓋体(２)は収納部(３)に締結される。この状態で、後記のロック機構(５)を作用させる。ロック機構(５)を解除して、スライダ(40)(40)を互いに離間する方向(矢印Ａ方向)に移動させ、両スライダ(40)(40)が枢着部(20)近傍に達すれば、ファスナ(４)が開き、蓋体(２)は収納部(３)との締結が解除されて、開くことができる。
図４は、ファスナ(４)の拡大正面図である。周知の如く、ファスナ(４)はテープ(42)の縁に沿って務歯(43)(43)を具え、スライダ(40)を移動させれば、上下に対向する務歯(43)(43)どうしが噛み合い、又は噛み合いが外れる。各タブ(41)には孔(44)が開設され、該孔(44)に孔(44)よりも大径のリング(45)が嵌まっている。
【００１０】
図１に示すように、蓋体(２)上には可撓性のベルト部材(６)の基端部が止着され、収納部(３)上にはソケット(50)が設けられている。ソケット(50)の一端部は帯(51)に繋がれて上下に揺動可能である。ベルト部材(６)の先端部にはソケット(50)に係合するプラグ(60)が設けられている。本例では、ファスナ(４)が閉じた状態で、２つのリング(45)(45)を重ね、該重なり部分にベルト部材(６)とプラグ(60)を通して、プラグ(60)をソケット(50)に嵌めれば、リング(45)(45)に嵌まったベルト部材(６)により、タブ(41)(41)の移動が規制され、蓋体(２)がロックされる。即ち、プラグ(60)を具えたベルト部材(６)とソケット(50)によって、蓋体(２)のロック機構(５)を構成する。
【００１１】
(ロック機構の詳細)
図５は、プラグ(60)とソケット(50)の一例を示す斜視図であり、ファスナ(４)の図示を省略している。プラグ(60)とソケット(50)は、バックルとして市販されている公知の構成である。プラグ(60)とソケット(50)は、図５に示す構成に限定されることなく、各種構造のプラグとソケットを用いることができる。
プラグ(60)は、一対の側板(61)(61)間に挿入板(62)を設け、該挿入板(62)上に係合突起(63)が弾性変形可能に設けられている。挿入板(62)の先端部には、両側方に突出した掛かり片(64)(64)が２つ形成されており、掛かり片(64)(64)の突出方向の先端間距離をＬ１とする。
ソケット(50)は一端部にプラグ挿入口(52)を開設した箱体であり、プラグ挿入口(52)にはプラグ(60)及び板状のロック解除キー(８)が重なって挿入可能である。ロック解除キー(８)は、前記係合突起(63)が嵌まる嵌め孔(80)を開設し、ロック解除キー(８)の下端部の幅方向中央にはスリット(81)が形成されている。ロック解除キー(８)の下端部の横幅Ｌ２は、前記の掛かり片(64)(64)の先端間距離Ｌ１に略等しい。
【００１２】
図６は、図５のソケット(50)をＥ−Ｅ線を含む面にて破断した断面図であり、図７はソケット(50)にプラグ(60)を挿入した状態を示す正面断面図である。ソケット(50)の内側両側面には、弾性変形可能な一対の係合片(53)(53)が設けられている。各係合片(53)の幅Ｆ１は、掛かり片(64)(64)の厚みよりも大きく、係合片(53)(53)下端部間の間隔Ｆ２は前記の掛かり片(64)(64)の先端間距離Ｌ１よりも稍狭い。
プラグとソケットの係合
掛かり片(64)(64)をプラグ挿入口(52)に向けて、プラグ(60)をソケット(50)に挿入すると、図７に一点鎖線で示すように、掛かり片(64)(64)は係合片(53)(53)を側方に押して広げながら進む。掛かり片(64)(64)が係合片(53)(53)を通過すると、係合片(53)(53)が弾性復帰して、係合片(53)(53)の下端部が掛かり片(64)(64)を係止する。プラグ(60)はソケット(50)に係合し、ベルト部材(６)を上向きに引っ張っても、プラグ(60)はソケット(50)から外れない。
【００１３】
プラグとソケットの係合解除
図８(a)、(b)は、図７をＦ−Ｆ線を含む垂直面にて破断した側面断面図である。プラグ(60)とソケット(50)とが係合した状態にあるときに、図８(a)に示すように、ロック解除キー(８)をソケット(50)に挿入する。ロック解除キー(８)のスリット(81)が、ソケット(50)の内側に設けられた突条(図示せず)に嵌まり、ロック解除キー(８)はソケット(50)への挿入を案内される。係合片(53)の幅Ｆ１は、掛かり片(64)(64)の厚みよりも大きいから、ロック解除キー(８)の下端部は、係合片(53)に接する。
また、ロック解除キー(８)の下端部の横幅Ｌ２は、掛かり片(64)(64)の側縁間距離Ｌ１に略等しいから、ロック解除キー(８)は図７に一点鎖線で示すように、係合片(53)(53)を側方に押し広げながら進む。
係合片(53)(53)が掛かり片(64)(64)を係止した状態が解除され、プラグ(60)はソケット(50)から外れることができる。ロック解除キー(８)をソケット(50)に挿入完了した状態では、図８(b)に示すように、ロック解除キー(８)の嵌め孔(80)がプラグ(60)の係合突起(63)に嵌まり、ロック解除キー(８)を引き上げると、ロック解除キー(８)とプラグ(60)は一緒になってソケット(50)から引き出される。係合片(53)(53)は弾性復帰する。
【００１４】
蓋体のロック動作
蓋体(２)を閉じ状態でロックするには、図９に示すように、ファスナ(４)が正面側壁(10b)の中央で閉じた状態で、２つのリング(45)(45)を重ねる。該重なり部分にプラグ(60)を通して、該プラグ(60)をソケット(50)に嵌める。ベルト部材(６)がリング(45)(45)に嵌まる。
図１０は、蓋体(２)のロック状態を示す正面図である。ベルト部材(６)がリング(45)(45)に嵌まり、プラグ(60)とソケット(50)が係合しているから、タブ(41)(41)はファスナ開き方向(矢印Ａ方向)に移動することができないから、蓋体(２)がロックされる。ロック解除キー(８)を持っていない第３者は、蓋体(２)を開くことができないから、カバー(１)内の容器(７)に収容された食品等に対するイタズラ、盗難等は防止される。
【００１５】
蓋体のロック解除動作
蓋体(２)を開くには、図８(a)、(b)に示す如く、ロック解除キー(８)をソケット(50)に挿入する。プラグ(60)がソケット(50)から外れ、ベルト部材(６)をリング(45)(45)から抜くことができる。ベルト部材(６)をリング(45)(45)から抜くと、タブ(41)(41)はファスナ開き方向に移動できる。ファスナ(４)を開けば、図１１に示すように、蓋体(２)を開いて、収納部(３)の空間(12)を露出させ、容器(７)の出し入れが可能となる。
【００１６】
本例の効果
本例にあっては、容器(７)を収納するカバー(１)にロック機構(５)を設けているから、カバー(１)内の容器(７)に収容された食品等に対するイタズラ、盗難等は防止される。
また、容器(７)自体にロック機構を配備するのではなく、容器(７)を収納するカバー(１)にロック機構(５)を設けている。従って、従来のように、容器(７)の重量増加、コスト上昇の問題は生じない。カバー(１)は一般に複数の容器(７)を収納するものであるから、カバー(１)にロック機構(５)を設けても、容器(７)自体にロック機構を設ける場合に比して、コスト上昇を抑えることができる。
更に、ロック機構(５)はカバー本体(10)上に設けられて、閉じ状態のファスナ(４)のタブ(41)に連繋して、タブ(41)がファスナ開き方向に移動することを規制する。従って、ロック機構(５)がカバー本体(10)から離れることはないから、ロック機構(５)を紛失することはなく、取り扱いに便利である。
また、ロック機構(５)は、プラグ(60)とソケット(50)とから形成されているから、高齢者や暗がりの雰囲気中にあっても、操作が容易である。
【００１７】
(カバーの使用態様)
上記カバー(１)は、食品等を購入して配達を依頼した者の元で使用されることが考えられる。カバー(１)は、配達依頼人が配達者から購入し又は貸し出され、前記ロック解除キー(８)は、配達依頼人及び配達者の双方が持っている。
配達依頼人は、例えば玄関先にカバー(１)を出しておく。カバー(１)は蓋体(２)がロックされていても、いなくても良い。配達依頼人が留守又は所要で玄関先に出ることができない場合に、配達者はファスナ(４)を開いて、食品等を容れた容器(７)をカバー(１)内に収納する。蓋体(２)がロックされていれば、配達者はロック解除キー(８)にて蓋体(２)のロックを解除してから、ファスナ(４)を開いて容器(７)をカバー(１)内に収納する。
この後、配達者はプラグ(60)を２つのリング(45)(45)に通して、プラグ(60)をソケット(50)に嵌める。蓋体(２)はベルト部材(６)によってロックされて、カバー(１)内の容器(７)に収容された食品等に対するイタズラ、容器(７)内の食品の盗難等は防止される。
配達依頼人は、ロック解除キー(８)にて蓋体(２)のロックを解除してから、蓋体(２)を開き、容器(７)をカバー(１)から取り出す。食品等を取り出した後の空の容器(７)をカバー(１)内に入れておく。後で、配達者がカバー(１)から容器(７)のみを回収し、カバー(１)を留め置く。
【００１８】
(容器)
出願人は、保温及び保冷効果に鑑みて、発泡性合成樹脂粒子を予備発泡して得られた予備発泡粒子を使用し、型内発泡成形によって容器(７)を形成することを考えている。ここで、発泡性合成樹脂粒子は、合成樹脂に物理型発泡剤を含浸して構成され、加熱によって発泡し、予備発泡させたものも含まれる。本例では、予備発泡させた所謂予備発泡粒子を主に使用している。
上記発泡性合成樹脂粒子を構成する合成樹脂としては、例えば、ポリスチレン、ハイインパクトポリスチレン、スチレン−エチレン共重合体、スチレン改質ポリエチレン系樹脂、スチレン−無水マレイン酸共重合体、スチレン−アクリロニトリル共重合体等のポリスチレン系樹脂、ポリメチルメタクリレート樹脂等のポリメタクリル系樹脂、ポリエチレン、ポリプロピレン、エチレン−酢酸ビニル共重合体等のポリオレフィン系樹脂、ポリエチレンテレフタレート等のポリエステル系樹脂等が挙げられる。これらの合成樹脂の混合物やモノマーの共重合体も使用できる。
また、物理型発泡剤としては、例えば、プロパン、ブタン、ペンタン、ヘキサン等の脂肪系炭化水素類、シクロペンタン、シクロブタン等の脂肪族炭化水素等が挙げられる。これらの物理型発泡剤は、単体で用いても、２種類以上を併用してもよい。
【００１９】
上記例にあっては、蓋体(２)にベルト部材(６)を、収納部(３)にソケット(50)を取り付けているとしたが、それらを入れ替えて、蓋体(２)にソケット(50)を、収納部(３)にベルト部材(６)を取り付けてもよい。収納部(３)は箱体に形成されているが、袋状でもよい。
また、タブ(41)にリング(45)を嵌めているとしたが、これに限定されず、タブ(41)の孔(44)がベルト部材(６)が通ることができる大きさであれば、リング(45)を設ける必要はなく、孔(44)にベルト部材(６)を通せばよい。タブ(41)の孔(44)又はリング(45)は、プラグ(60)又はソケット(50)が通ることができる大きさであれば、形状は円形、矩形、その他の形状であってもよい。孔(44)又はリング(45)の径を、ベルト部材(６)の幅に対し、稍大きい程度に形成すれば、更にタブ(41)がファスナ開き方向に移動することを規制できる。
材質が可撓性であれば、ベルト部材(６)に変えて、紐状体でもよい。カバー本体(10)に、カバー本体(10)を柱等に取り付ける為のバンド(図示せず)を取り付けても良い。出願人は、カバー(１)単品のみならず、カバー(１)に容器(７)を収納した梱包ユニットとしても取引の対象としている。
また、上記例では、カバー本体(10)は、蓋体(２)と収納部(３)を具え、ファスナ(４)を収納部(３)の側面に設け、タブ(41)が２つ設けられているとした。しかし、これに限定されず、図１２に示すように、カバー本体(10)の上面にファスナ(４)を設け、タブ(41)は１つだけであってもよい。図１２では、カバー本体(10)の上面にベルト部材(６)を、カバー本体(10)の側面にソケット(50)を取り付けているが、この位置に限定されない。
【００２０】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
カバー本体(10)の表皮材としては、ポリエチレン、ポリプロピレン、エチレン−酢酸ビニル共重合体等のポリオレフィン系樹脂、ポリエチレンテレフタレート等のポリエステル系樹脂、ナイロン等のポリアミド系樹脂、塩化ビニル樹脂等により形成されたシート等やアルミニウム蒸着したシート等が挙げられる。これらの素材は、単体で用いても、２種類以上を併用してもよい。
芯材としては、ポリエチレン、ポリプロピレン、エチレン−酢酸ビニル共重合体等のポリオレフィン系樹脂、ポリエチレンテレフタレート等のポリエステル系樹脂、ナイロン等のポリアミド系樹脂、ポリスチレン、ハイインパクトポリスチレン、スチレン−エチレン共重合体、スチレン改質ポリエチレン系樹脂、スチレン−無水マレイン酸共重合体、スチレン−アクリロニトリル共重合体等のポリスチレン系樹脂、塩化ビニル樹脂等により形成されたシートや板等が挙げられる。また、芯材として、前記素材等を発泡させた発泡シートや発泡板等を用いると、保温又は保冷効果の持続性が向上するので好ましい。
【図面の簡単な説明】
【００２１】
【図１】ロック機構付きカバーの斜視図である。
【図２】図１の平面図である。
【図３】図１をＤ−Ｄ線を含む垂直面にて破断した断面図である。
【図４】ファスナの拡大正面図である。
【図５】プラグとソケットの一例を示す斜視図である。
【図６】図５のソケットをＥ−Ｅ線を含む面にて破断した断面図である。
【図７】ソケットにプラグを挿入した状態を示す正面断面図である。
【図８】(a)、(b)は、図７をＦ−Ｆ線を含む垂直面にて破断した側面断面図である。
【図９】蓋体をロックする動作を示す斜視図である。
【図１０】蓋体のロック状態を示す正面図である。
【図１１】蓋体を開く動作を示す斜視図である。
【図１２】別の実施例を示す斜視図である。
【図１３】従来の容器の分解斜視図である。
【図１４】別の従来の容器の斜視図である。
【図１５】別の従来の容器の斜視図である。
【符号の説明】
【００２２】
(１)  カバー
(２)  蓋体
(３)  収納部
(４)  ファスナ
(５)  ロック機構
(６)  ベルト部材
(７)  容器
(41)  タブ
(45)  リング
(50)  ソケット
(60)  プラグ
【図１】
2005350098.tif 000003
【図２】
2005350098.tif 000004
【図３】
2005350098.tif 000005
【図４】
2005350098.tif 000006
【図５】
2005350098.tif 000007
【図６】
2005350098.tif 000008
【図７】
2005350098.tif 000009
【図８】
2005350098.tif 000010
【図９】
2005350098.tif 000011
【図１０】
2005350098.tif 000012
【図１１】
2005350098.tif 000013
【図１２】
2005350098.tif 000014
【図１３】
2005350098.tif 000015
【図１４】
2005350098.tif 000016
【図１５】
2005350098.tif 000017